(57)【要約】      （修正有）【課題】嵌合時におけるレバーの脱落を防ぐレバー式コネクタ組立体を提供する。【解決手段】レバー式コネクタ組立体は、レバー式コネクタ１と、該レバー式コネクタ１に嵌合可能な相手コネクタ５０とを有してなる。アウターハウジング１２に設けられた支軸１６に対して回動可能に設けられたレバー式コネクタ１のレバー２０には、相手コネクタ５０に設けられたラック５５に噛合するギヤと、支軸１６を挟んで対向するように１対のフランジ部２４ａ，２４ｂが設けられている。相手コネクタ５０に設けられた１対の脱落防止部５４，５４と１対のフランジ部２４ａ，２４ｂとをそれぞれ常に係合させた状態で、レバー２０を開始位置と完了位置との間で回動させることにより、ラック５５とギヤ２５とが協働して、相手コネクタ５０に対する嵌合開始位置と嵌合完了位置との間でハウジング１０を移動させる。【選択図】図１
2010123385.tif 000002
【特許請求の範囲】
【請求項１】
コンタクトを有するハウジングと、該ハウジングに設けられた支軸に対して回動可能に設けられたレバーとを具備するレバー式コネクタと、
前記ハウジングに嵌合可能とされた相手コネクタとを有するレバー式コネクタ組立体であって、
前記レバーには、前記支軸を挟んで対向するように設けられた１対のフランジ部とギヤとが形成され、
前記相手コネクタには、１対の脱落防止部及び前記レバーに設けられたギヤに噛合するラックが設けられ、
前記１対の脱落防止部に前記１対のフランジ部を常に係合させながら、前記レバーを開始位置と完了位置との間で回動することにより、前記ラックと前記ギヤとを協働させて、前記相手コネクタに対する嵌合開始位置と嵌合完了位置との間で前記レバー式コネクタを移動可能とすることを特徴とするレバー式コネクタ組立体。
【請求項２】
前記１対のフランジ部のうち一方は、前記ギヤと一体に形成されていることを特徴とする請求項１に記載のレバー式コネクタ組立体。
【発明の詳細な説明】
【技術分野】
【０００１】
本発明は、相手コネクタと、該相手コネクタに対して確実に嵌合するレバー式コネクタとを有し、コンタクト同士の好適な接続を実現するための嵌合構造を備えたレバー式コネクタ組立体に関する。
【背景技術】
【０００２】
従来より、相手コネクタと、該相手コネクタに対して確実に嵌合するレバー式コネクタとを有し、コンタクト同士の好適な接続を実現するための嵌合構造を備えたレバー式コネクタ組立体が提案されている。このようなレバー式コネクタ組立体としては、例えば、特許文献１及び特許文献２に開示されたものがある。図７は、特許文献１に記載されたレバー式コネクタ組立体の構成を示す分解斜視図であり、図８は、特許文献２に記載されたレバー式コネクタ組立体の構成を示す側面図である。
【０００３】
図７に示すように、特許文献１に開示されたレバー式コネクタ組立体１０１は、コネクタＡと、該コネクタＡに嵌合可能とされたコネクタＢとを有する。
コネクタＢは、略Ｕ字状のレバー部材Ｃを具備する。
コネクタＡは、上下方向に複数の端子収容室１０２ａが形成された直方体形状のハウジング１０２の両側壁前方にカムピン１０３が突設されてなる。端子収容室１０２ａには図示しない雌ターミナルが収容されている。
【０００４】
コネクタＢは、前記雌ターミナルに対応する雄ターミナルを収容したハウジング本体１０６と、その前方にコネクタＡを受け入れるフード１０７とを備えている。フード１０７には、その両側壁にカムピン１０３に対するピン案内部１０８，１０８と、レバー部材Ｃの軸支ピン１０９とが設けられている。また、ハウジング本体１０６の一方の側面には、該側面と一定の間隙を有して板状の離脱阻止部１０６’が軸支ピン１０９に向けて延設されている。
【０００５】
レバー部材Ｃは、相対向した１対のレバー１１４，１１４を有する。１対のレバー１１４，１１４には、それぞれ相対する位置に軸穴１１６及びカム溝１１７が形成されている。
レバー部材Ｃにおける相対向した１対のレバー１１４，１１４は、コネクタＢの側壁に設けられた軸支ピン１０９に軸穴１１６を係合させることによって回動自在に軸支される。ここで、一方のレバー１１４の一部は、回動時においてハウジング本体１０６の一方の側面と離脱阻止部１０６’との間に挟まれることによって軸方向の動きが制限されている。
【０００６】
このような構成をなすレバー式コネクタ組立体１０１は、レバー部材Ｃの回動操作により、カムピン１０３がカム溝１１７に沿って移動し、コネクタＡがコネクタＢに引き込まれて嵌合する。このとき、回動操作時に一方のレバー１１４の自由端部１１４’が、ハウジング本体１０６の側面と、離脱阻止部１０６’との間を摺動することにより、レバー１１４の脱落が阻止される。
【０００７】
また、図８に示すように、特許文献２に開示されたレバー式コネクタ組立体２０１は、雄ハウジング２１０と雌ハウジング２２０とを有する。雌ハウジング２２０には、カム溝２４０を有するレバー２３１が軸２３５により回動可能に支持されている。雄ハウジング２１０に設けられたフォロワピン２４４をカム溝２４０に挿入してレバー２３１を回動することで、フォロワピン２４４がカム溝２４０に沿って移動し、両ハウジング２１０，２２０の嵌合と離脱とが助勢される。カム溝２４０の回りの外縁には、表面側を削いで薄肉とされた張出部２４５が形成される。フォロワピン２４４の奥側には、ガイド溝２４８を有する受け部２４７Ａ，２４７Ｂが、張出部２４５の移動方向に沿って左右に分かれて設けられる。カム溝２４０の内側の側縁には、同じく表面側を削いで薄肉とした係止縁２５０が形成され、フォロワピン２４４の先端にはフランジ２５１が形成される。レバー２３１が回動操作される間、張出部２４５が受け部２４７Ａ，２４７Ｂのガイド溝２４８に潜り込み、またカム溝２４０の係止縁２５０がフォロワピン２４４のフランジ２５１の下側に係止される。
【特許文献１】特開平８−２２７７５７号公報
【特許文献２】特開２００１−１１８６３１号公報
【発明の開示】
【発明が解決しようとする課題】
【０００８】
しかしながら、これらの図７及び図８に示す従来のレバー式コネクタ組立体にあっては、レバーが離脱してしまうという問題があった。
即ち、図７に示すレバー式コネクタ組立体１０１においては、レバー１１４，１１４の回動時に、該レバー１１４，１１４に加わる外向きの力が離脱阻止部１０６’を拡げる方向に作用する。その結果、離脱阻止部１０６’によってレバー１１４，１１４の離脱を阻止することができず、レバー１１４，１１４が電線カバー３０から離脱してしまうことがあった。
【０００９】
また、図８に示すレバー式コネクタ組立体２０１は、フォロワピン２４４をカム溝２４０に挿入してレバー２３１を回動して両ハウジング２１０，２２０を嵌合させようとする際に、レバー２３１が脱落する可能性があった。具体的には、レバー２３１の回動の開始時において、張出部２４５は、受け部２４７Ａのガイド溝２４８のみに嵌合しており、さらにレバー２３１を回動したときに、張出部２４５が受け部２４７Ｂに衝突することがあるからである。そのため、張出部２４５が受け部２４７Ｂに衝突したときにレバー２３１が浮いてしまい、軸２３５から脱落する可能性があった。更に、受け部２４７Ａ，２４７Ｂのガイド溝２４８の高さが低いことによってもレバー２３１が軸２３５から脱落する可能性があった。
【００１０】
従って、本発明は上述の問題点に鑑みてなされたものであり、その目的は、嵌合時におけるレバーの脱落を防ぐレバー式コネクタ組立体を提供することにある。
【課題を解決するための手段】
【００１１】
上記問題を解決するため、本発明のうち請求項１に係るレバー式コネクタ組立体は、コンタクトを有するハウジングと、該ハウジングに設けられた支軸に対して回動可能に設けられたレバーとを具備するレバー式コネクタと、
前記ハウジングに嵌合可能とされた相手コネクタとを有するレバー式コネクタ組立体であって、
前記レバーには、前記支軸を挟んで対向するように設けられた１対のフランジ部とギヤとが形成され、
前記相手コネクタには、１対の脱落防止部及び前記レバーに設けられたギヤに噛合するラックが設けられ、
前記１対の脱落防止部に前記１対のフランジ部を常に係合させながら、前記レバーを開始位置と完了位置との間で回動することにより、前記ラックと前記ギヤとを協働させて、前記相手コネクタに対する嵌合開始位置と嵌合完了位置との間で前記レバー式コネクタを移動可能とすることを特徴としている。
【００１２】
また、本発明のうち請求項２に係るレバー式コネクタ組立体は、請求項１に記載のレバー式コネクタ組立体において、前記１対のフランジ部のうち一方は、前記ギヤと一体に形成されていることを特徴としている。
【発明の効果】
【００１３】
本発明の請求項１に係るレバー式コネクタ組立体では、レバー式コネクタと相手コネクタとが嵌合を開始してから嵌合を完了するまで相手コネクタの脱落防止部に対して常に係合する１対のフランジ部をレバーに設けた。従って、レバーを開始位置と完了位置との間で回動させているときに、レバーが脱落防止部に衝突するようなことが生じないので、相手コネクタとの接続時におけるレバーの脱落を防止することができる。
【００１４】
また、本発明の請求項２に係るレバー式コネクタ組立体によれば、前記１対のフランジ部のうち一方が、前記ギヤと一体に形成されているので、当該一方のフランジ部の強度が前記ギヤによって補強される。
【発明を実施するための最良の形態】
【００１５】
次に本発明の実施形態について図面を参照して説明する。図１は本発明に係るレバー式コネクタ組立体を示す正面図である。但し、図１においてレバーは、「開始位置」に位置している。また、図１においては、後述する脱落防止部５４，５４を溝部５４ｂが現れるように断面図で示している。図２は図１に示すレバー式コネクタ組立体においてレバー式コネクタと相手コネクタとの「嵌合開始状態」を示す正面図である。
【００１６】
（レバー式コネクタ組立体）
図１及び図２に示すように、本実施形態のレバー式コネクタ組立体は、レバー式コネクタ１，２と、相手コネクタ５０に形成された第１嵌合部５２及び第２嵌合部５３とが嵌合されてなる。嵌合方法については後述する。レバー式コネクタ１はその形状から相手コネクタ５０の第１嵌合部５２に嵌合するようになっているが、相手コネクタ５０の第２嵌合部５３には第２嵌合部５３の形状に適合した他の形状のレバー式コネクタ２が嵌合するようになっている。以下、レバー式コネクタ１が相手コネクタ５０の第１嵌合部５２に嵌合する場合を例にとって説明する。
【００１７】
＜レバー式コネクタ＞
レバー式コネクタ１は、絶縁性のハウジング１０と、レバー２０とを具備している。
ハウジング１０は、雌型コンタクト（図示せず）を保持したインナーハウジング１１と、インナーハウジング１１に取り付けられるアウターハウジング１２と、アウターハウジング１２に取り付けられるワイヤカバー３０とを備える。インナーハウジング１１に保持された雌型コンタクト（図示せず）は、後述する相手コンタクト６０（図４参照）に接続される。インナーハウジング１１、アウターハウジング１２、及びワイヤカバー３０はそれぞれ、絶縁性の樹脂を成形することによって形成されている。
【００１８】
インナーハウジング１１は、略直方体形状をなし、上下方向に貫通する複数のコンタクト収容キャビティ（図示せず）が形成されてなる。このコンタクト収容キャビティに雌型コンタクト（図示せず）が保持される。
インナーハウジング１１の外周面には、シール部材１４が巻回して設けられている。このシール部材１４がインナーハウジング１１の外周面に巻回して設けられることにより、インナーハウジング１１と第１嵌合部５２とが嵌合したときに、インナーハウジング１１及び第１嵌合部５２相互の密閉性が確保される。
【００１９】
アウターハウジング１２は、板状の上面部（図示せず）と、該上面部の周縁から下方に延びた前面１２ａ、後面１２ｂ、及び１対の側面１２ｃ，１２ｃ（一方のみ図示）とを有し、有蓋無底の略矩形形状をなす。
前記上面部には、インナーハウジング１１に保持された雌型コンタクト（図示せず）を収容するコンタクト収容キャビティ（図示せず）が上下方向に貫通して形成される。
【００２０】
また、アウターハウジング１２の前面１２ａ、後面１２ｂ、及び１対の側面１２ｃ，１２ｃによって形成される内周面は、インナーハウジング１１の外周面よりも大きな寸法で構成される。
インナーハウジング１１には、シール部材（図示せず）を介してアウターハウジング１２に覆われるようにしてアウターハウジング１２が固定される。具体的には、アウターハウジング１２の上面部（図示せず）に形成されたラッチ孔（図示せず）に、インナーハウジング１１の上端面に形成されたラッチ（図示せず）を係合させてインナーハウジング１１がアウターハウジング１２に固定される。
【００２１】
一方、インナーハウジング１１の外周面と、アウターハウジング１２の内周面と、アウターハウジング１２の上面（図示せず）によって、下面側が開口した相手コネクタ受容キャビティ１３（図２参照）が形成される。この相手コネクタ受容キャビティ１３は、レバー式コネクタ１と相手コネクタ５０との嵌合がなされる際に第１嵌合部５２と嵌合可能な矩形状の溝である。
【００２２】
また、アウターハウジング１２の両側面１２ｃ，１２ｃの下端面には、後述するレバー２０を回動可能に支持する支軸１６を備えた支持部１５が下方に延びて形成されている。
ワイヤカバー３０は、アウターハウジング１２の上側に取り付けられている。このワイヤカバー３０の頂部には、弾性体によりワイヤカバー３０の上面に対して上下に摺動するラッチ部３１が設けられている。ラッチ部３１は、レバー２０の回動動作において移動する連結部２２（図３参照）がラッチ部３１の上方から押さえつけることによってワイヤカバー３０の内部に収容される。また、ラッチ部３１は、回動動作によってレバー２０が「完了位置」に達したときに、ワイヤカバー３０の上面から突出し、レバー２０の係止部２８（図３参照）を係止し、固定する。
【００２３】
また、ワイヤカバー３０の後面には、開口部３２が形成されている（図１及び図２参照）。インナーハウジング１１に保持された雌型コンタクト（図示せず）には電線（図示せず）が接続され、該電線は、ワイヤカバー３０の内部を介して開口部３２から外部に導出されるようになっている。
【００２４】
〔レバー〕
図３は、図１に示すレバー式コネクタのレバーの斜視図である。図１〜図３に示すように、レバー２０は、１対の脚部２１と、脚部２１の後端を連結する連結部２２とを備えた断面略Ｕ字形に形成され、絶縁性の樹脂を成形することによって形成されている。そして、レバー２０の各脚部２１の前端側には、１対の軸用孔２３，２３が穿設されている。これら１対の軸用孔２３，２３に、アウターハウジング１１の両側面に設けられた支軸１６が嵌入されることによって、レバー２０は支軸１６に軸支される。従って、レバー２０がハウジング１０に対して支軸１６を中心として回動可能となっている。また、レバー２０の各脚部２１の内側面の前端には、脱落防止部５４と一体に形成されたラック５５（図４参照）に噛合するギヤ２５が設けられている。レバー２０を「開始位置」から「完了位置」まで回動させると、ギヤ２５とラック５５の協働によりハウジング１０が「嵌合開始位置」から「嵌合完了位置」まで上下に移動するようになっている。なお、レバー２０を「開始位置」に位置させたときの相手コネクタ５０に対するハウジング１０の位置を「嵌合開始位置（状態）」とし、レバー２０を「完了位置」に位置させたときの相手コネクタ５０に対するハウジング１０の位置を「嵌合完了位置（状態）」とする。また、レバー２０の各脚部２１の内側面には、「開始位置」においてハウジング１０の上端面に当接してレバー２０の回動を規制するための係止突起２６が設けられている。
【００２５】
また、レバー２０の各脚部２１の前端には、軸用孔２３，２３を挟んで対向する１対のフランジ部２４ａ，２４ｂが形成されている。これらフランジ部２４ａ，２４ｂは、各脚部２１の前端の厚みよりも薄く形成された略扇状の薄片である。フランジ部２４ａ，２４ｂの両端部には、これらフランジ部２４ａ，２４ｂと各脚部２１の外側面との厚み方向の段差によって係止部２７が形成されている。一方のフランジ部２４ａは、ギヤ２５と一体に形成されていることにより、補強されている。
また、レバー２０の連結部２２には、レバー２０を「完了位置」で固定するための係止部２８が設けられている。
【００２６】
＜相手コネクタ＞
図４は図１に示すレバー式コネクタ組立体においてレバー式コネクタが嵌合する相手コネクタを前方斜め上方から見た斜視図である。
相手コネクタ５０は、相手ハウジング５１と、該相手ハウジング５１の上面に設けられた第１嵌合部５２及び第２嵌合部５３（図２参照）とを有する。第１嵌合部５２は、図４に示すように、前面５２ａ、後面５２ｂ、底面５２ｃ、及び１対の左側面５２ｄ，右側面５２ｅを有する無蓋有底の略矩形形状に形成される。第１嵌合部５２の底面５２ｃには、複数の金属製の相手コンタクト６０が取り付けられている。第１嵌合部５２の左側面５２ｄ，右側面５２ｅには、それぞれ１対の脱落防止部５４が形成されている。
【００２７】
各脱落防止部５４，５４は、上下方向（相手コネクタ５０に対してレバー式コネクタ１を挿抜する方向）に沿って第１嵌合部５２の左側面５２ｄ（右側面５２ｅ）から突出する１対の突条５４ａ，５４ａに、上方（嵌合時において相手コネクタ５０に対してレバー式コネクタ１が位置する向き）に開口する溝部５４ｂ，５４ｂが互いに対向するように形成されてなる。これらの溝部５４ｂ，５４ｂが、レバー２０のフランジ部２４ａ，２４ｂ（図３参照）を受容する。
【００２８】
また、第１嵌合部５２の左側面５２ｄ及び右側面５２ｅのそれぞれ前方の突条５４ａ，５４ａには、上下方向に沿って所定長さにわたるラック５５，５５が形成されている。ラック５５，５５は、相手コネクタ５０とレバー式コネクタ１との嵌合時に、レバー２０のギヤ２５，２５に噛合し、第１嵌合部５２に対して相手コネクタ受容キャビティ１３が嵌入するにつれてレバー２０を回動させる。
【００２９】
（レバー式コネクタと相手コネクタとの嵌合方法）
次に、レバー式コネクタ１と相手コネクタ５０との嵌合方法について図面を参照して説明する。
図５は図１に示すレバー式コネクタ組立体においてレバー式コネクタの相手コネクタに対する「嵌合開始状態」を示す正面図であり、（ａ）は左側面図、（ｂ）は（ａ）の５ｂ−５ｂ線に沿った部分断面図である。図６は図１に示すレバー式コネクタ組立体においてレバー式コネクタの相手コネクタに対する「嵌合完了状態」を示し、（ａ）は左側面図、（ｂ）は（ａ）の６ｂ−６ｂ線に沿った部分断面図である。
【００３０】
まず、レバー式コネクタ１のレバー２０を「開始位置」に位置させ、相手コネクタ受容キャビティ１３と、第１嵌合部５２とを対向させた状態で、図２の矢印Ａ方向に沿ってレバー式コネクタ１を相手コネクタ５０に向けて移動させる。
【００３１】
次に、レバー式コネクタ１の相手コネクタ受容キャビティ１３を、第１嵌合部５２に仮嵌合し、レバー２０の左右それぞれの１対のフランジ部２４ａ，２４ｂを１対の脱落防止部５４，５４の溝部５４ｂ，５４ｂに仮嵌合する。
このように、「嵌合開始状態」では、図５（ａ）に示すように、相手コネクタ受容キャビティ１３と第１嵌合部５２とが仮嵌合し、各脚部２１，２１のフランジ部２４ａ，２４ｂと１対の脱落防止部５４，５４とが仮嵌合している。
また、「嵌合開始状態」では、図５（ｂ）に示すように、フランジ部２４ａに嵌合している溝部５４ｂを有する一方の脱落防止部５４の上端部に、係止部２７が係止されている。従って、レバー２０の矢印Ｂ方向（図５（ａ）参照）への回動が制限され、レバー２０は「開始位置」で保持される。
【００３２】
その後、図６（ａ）、（ｂ）に示すように、レバー２０を、「開始位置」から矢印Ｃ方向に回動する。この回動動作によって、レバー２０に設けられたギヤ２５と、第１嵌合部５２に設けられたラック５５とが協働して、レバー式コネクタ１が相手コネクタ５０側（図５（ａ）の矢印Ａ方向）に引き込まれるように更に移動する。この相手コネクタ５０に対してレバー式コネクタ１の移動している間、フランジ部２４ａ，２４ｂと脱落防止部５４，５４とは係合を維持している。
【００３３】
レバー２０を、図６（ａ）の矢印Ｃ方向に回動して、レバー２０の係止部２８がワイヤカバー３０のラッチ部３１に係止した時点で、レバー式コネクタ１と相手コネクタ５０との嵌合が完了する（嵌合完了状態）。このときの相手コネクタ５０に対するレバー式コネクタ１の位置が「嵌合完了位置」である。また、このときのレバー２０の位置が「完了位置」である。レバー２０の回動動作によって相手コネクタ５０とレバー式コネクタ１との嵌合が完了するまでの間も、フランジ部２４ａ，２４ｂと脱落防止部５４，５４とは係合を維持している。
【００３４】
以上のようにしてレバー２０を「完了位置」まで回動させると、第１嵌合部５２内に引き込まれたインナーハウジング１１が保持する雌型コンタクト（図示せず）と雄型コンタクト６０とが接触し、これらが電気的に導通する。また、レバー２０を図６（ａ）、（ｂ）に示す「完了位置」まで回動すると、レバー２０の係止部２８がワイヤカバー３０に設けられたラッチ部３１に係止され、レバー２０が「完了位置」に保持される。
【００３５】
一方、レバー２０を図６（ａ）、（ｂ）に示す「完了位置」から図５（ａ）、（ｂ）に示す「開始位置」まで逆向きに回動すると、ギヤ２５と、ラック５５とが前述の動作と逆の動作をし、相手コネクタ受容キャビティ１３の第１嵌合部５２に対する嵌合関係が解除され、レバー式コネクタ１が相手コネクタ５０から抜去可能となる。
このように、「開始位置」と「完了位置」との間でレバー２０を回動させる間、１対の脱落防止部５４，５４とフランジ部２４ａ，２４ｂとが常に係合している。すなわち、１対の脱落防止部５４，５４に常に係合する１対のフランジ部２４ａ，２４ｂを、支軸１６を介して対向するように設けたので、レバー２０の回動時におけるレバー２０の脱落を防止することができる。
【００３６】
以上、本発明の実施形態について説明してきたが、本発明はこれに限定されずに種々の変更、改良を行うことができる。例えば、上述の実施形態では、ハウジング１０を構成するインナーハウジング１１とアウターハウジング１２とを別体としたが、これらを一体に成型してもよい。また、上述の実施形態では、レバー２０をアウターハウジング１２に設けたが、ワイヤカバー３０にレバー２０を設けてもよい。
【図面の簡単な説明】
【００３７】
【図１】本発明に係るレバー式コネクタ組立体を示す正面図である。但し、図１においてレバーは、「開始位置」に位置している。
【図２】図１に示すレバー式コネクタ組立体においてレバー式コネクタの相手コネクタに対する「嵌合開始状態」を示す正面図である。
【図３】図１に示すレバー式コネクタのレバーの斜視図である。
【図４】図１に示すレバー式コネクタ組立体においてレバー式コネクタが嵌合する相手コネクタを前方斜め上方から見た斜視図である。
【図５】図１に示すレバー式コネクタ組立体においてレバー式コネクタの相手コネクタに対する「嵌合開始状態」を示す正面図であり、（ａ）は左側面図、（ｂ）は（ａ）の５ｂ−５ｂ線に沿った部分断面図である。
【図６】図１に示すレバー式コネクタ組立体においてレバー式コネクタの相手コネクタに対する「嵌合完了状態」を示し、（ａ）は左側面図、（ｂ）は（ａ）の６ｂ−６ｂ線に沿った部分断面図である。
【図７】従来のレバー式コネクタ組立体の一例の分解斜視図である。
【図８】従来のレバー式コネクタ組立体の一例の側面図である。
【符号の説明】
【００３８】
１  レバー式コネクタ
１０  ハウジング
１６  支軸
２０  レバー
２４  フランジ部
２５  ギヤ
５０  相手コネクタ
５４  脱落防止部
５５  ラック
【図１】
2010123385.tif 000003
【図２】
2010123385.tif 000004
【図３】
2010123385.tif 000005
【図４】
2010123385.tif 000006
【図５】
2010123385.tif 000007
【図６】
2010123385.tif 000008
【図７】
2010123385.tif 000009
【図８】
2010123385.tif 000010